(57)【要約】【課題】停電時であっても高画質で録画することができる録画装置、及び録画方法を提供すること。【解決手段】本発明の実施の形態にかかる録画装置１は、チューナ７と、ＭＰＥＧデコーダＬＳＩ２と、データを一時的に記憶するＳＤＲＡＭ４と、ＨＤＤ３と、ＡＶ入出力部８と、商用電源からの電源をチューナ７、ＭＰＥＧデコーダＬＳＩ２、ＡＶ入出力部８に供給する電源供給部１０と、補助バッテリ部１１と、停電検出部１２ａと、停電検出部１２ａが停電を検出したときに、映像データを記録するフラッシュメモリ６と、停電を検出したときに、ＨＤＤ３、及びＡＶ入出力部８への電源供給を遮断するとともに、フラッシュメモリ６、チューナ７、及びＭＰＥＧデコーダＬＳＩ２への電源供給を補助バッテリ部１１の補助電源に切り替える切替部１２と、を備えたものである。【選択図】図１
2015076730.tif 000002
【特許請求の範囲】
【請求項１】
放送信号を受信するチューナと、
前記チューナで受信された放送信号をデコードするデコーダと、
前記デコーダでデコードする際に、データを一時的に記憶するＤＲＡＭと、
前記デコーダでデコードされた前記放送信号の映像データを記録するディスクドライブと、
外部機器との入出力を行う入出力Ｉ／Ｆと、
商用電源からのメイン電源を前記チューナ、前記デコーダ、前記入出力Ｉ／Ｆに供給する電源供給部と、
前記商用電源によって充電される補助バッテリと、
前記商用電源の停電を検出する停電検出部と、
停電検出時に、前記デコーダでデコードされた前記放送信号の映像データを記録する不揮発性メモリと、
前記停電検出時に、前記ディスクドライブ、及び前記入出力Ｉ／Ｆへの電源供給を停止するとともに、前記不揮発性メモリ、前記チューナ、及び前記デコーダへの電源供給を前記補助バッテリからの補助電源に切り替える切替部と、を備えた録画装置。
【請求項２】
前記停電検出部が停電の復旧を検出した場合に、前記切替部が前記入出力Ｉ／Ｆ、前記ディスクドライブ、前記チューナ、及び前記デコーダへの電源供給を前記メイン電源に切り替えるとともに、前記不揮発性メモリへの電源供給を停止する請求項１に記載の録画装置。
【請求項３】
前記デコーダがデコーダＬＳＩとして設けられ、
前記デコーダＬＳＩは、前記ディスクドライブ、及び前記入出力Ｉ／Ｆを制御する制御ブロックを備え、
前記停電検出時に、前記制御ブロックへの電源供給を停止した後、前記ディスクドライブ、及び前記入出力Ｉ／Ｆへの電源供給を遮断する請求項１、又は２に記載の録画装置。
【請求項４】
前記放送信号が単一のデコード方式のみでデコードされる請求項１〜３のいずれか１項に記載の録画装置。
【請求項５】
放送信号を受信するチューナと、
前記チューナで受信された放送信号をデコードするデコーダと、
前記デコーダでデコードする際に、データを一時的に記憶するＤＲＡＭと、
前記デコーダでデコードされた前記放送信号の映像データを記録するディスクドライブと、
外部機器との入出力を行う入出力Ｉ／Ｆと、
商用電源からのメイン電源を前記チューナ、前記デコーダ、前記入出力Ｉ／Ｆに供給する電源供給部と、
前記商用電源によって充電される補助バッテリと、
停電時に、前記デコーダでデコードされた前記放送信号の映像データを記録する不揮発性メモリと、を備えた録画装置の録画方法であって、
前記商用電源の停電を検出するステップと、
前記停電検出時に、前記ディスクドライブ、及び前記入出力Ｉ／Ｆへの電源供給を停止するとともに、前記不揮発性メモリ、前記チューナ、及び前記デコーダへの電源供給を前記補助バッテリからの補助電源に切り替えるステップと、を備えた録画方法。
【請求項６】
前記停電検出部が停電の復旧を検出した場合に、前記切替部が前記入出力Ｉ／Ｆ、前記ディスクドライブ、前記チューナ、及び前記デコーダへの電源供給を前記メイン電源に切り替えるとともに、前記不揮発性メモリへの電源供給を停止する請求項５に記載の録画方法。
【請求項７】
前記デコーダがデコーダＬＳＩとして設けられ、
前記デコーダＬＳＩは、前記ディスクドライブ、及び前記入出力Ｉ／Ｆを制御する制御ブロックを備え、
前記停電検出時に、前記制御ブロックへの電源供給を停止した後、前記ディスクドライブ、及び前記入出力Ｉ／Ｆへの電源供給を遮断する請求項５、又は６に記載の録画方法。
【請求項８】
前記放送信号が単一のデコード方式のみでデコードされる請求項５〜７のいずれか１項に記載の録画方法。
【発明の詳細な説明】
【技術分野】
【０００１】
本発明は、録画装置、及び録画方法に関する。
【背景技術】
【０００２】
放送信号を受信して、映像を記録媒体に録画する録画装置が用いられている。一般的に、録画中に停電が起こった場合、録画装置としては、録画中のデータが破損してしまい、ユーザが予約した放送番組の録画失敗等が発生する。
【０００３】
これに対し、停電時にフラッシュメモリを用いる記録再生装置が特許文献１に開示されている（例えば、特許文献１参照）。特許文献１の記録再生装置では、停電時に、消失すると困るデータ、例えば、放送番組を録画しているときに使用するデータ（録画中である旨のデータ、局番、記録開始時刻等）がフラッシュメモリに格納される。
【０００４】
また、特許文献２には、停電時にも番組データを録画可能な記録再生装置が開示されている。特許文献２の記録再生装置は、１セグチューナと、チューナと、バッテリと、フラッシュメモリと、１セグデコーダＩＣ（Ｉｎｔｅｇｒａｔｅｄ  Ｃｉｒｕｉｔ）と、ＭＰＥＧデコーダＩＣを備えている。停電時には、バッテリによって１セグデコーダを稼動させている。これにより、停電時に１セグ放送にて代替録画している。
【先行技術文献】
【特許文献】
【０００５】
【特許文献１】特開２００５−４４４３２号公報
【特許文献２】特開２００８−１４１６３６号公報
【発明の概要】
【発明が解決しようとする課題】
【０００６】
しかしながら、特許文献１の記録再生装置では、停電時の番組データが録画できなくなってしまう。また、特許文献２の記録再生装置では、停電時に、１セグ放送が代替録画される。よって、停電時に記録した録画番組が低画質となってしまう。
【０００７】
本発明は、停電時であっても、高画質で録画することができる録画装置、及び録画方法を提供するものである。
【課題を解決するための手段】
【０００８】
本願発明の一態様にかかる録画装置は、放送信号を受信するチューナと、前記チューナで受信された放送信号をデコードするデコーダと、前記デコーダでデコードする際に、データを一時的に記憶するＤＲＡＭと、前記デコーダでデコードされた前記放送信号の映像データを記録するディスクドライブと、外部機器との入出力を行う入出力Ｉ／Ｆと、商用電源からのメイン電源を前記チューナ、前記デコーダ、前記入出力Ｉ／Ｆに供給する電源供給部と、前記商用電源によって充電される補助バッテリと、前記商用電源の停電を検出する停電検出部と、停電検出時に、前記デコーダでデコードされた前記放送信号の映像データを記録する不揮発性メモリと、前記停電検出時に、前記ディスクドライブ、及び前記入出力Ｉ／Ｆへの電源供給を停止するとともに、前記不揮発性メモリ、前記チューナ、及び前記デコーダへの電源供給を前記補助バッテリからの補助電源に切り替える切替部と、を備えたものである。
【０００９】
本願発明の一態様にかかる録画方法は、放送信号を受信するチューナと、前記チューナで受信された放送信号をデコードするデコーダと、前記デコーダでデコードする際に、データを一時的に記憶するＤＲＡＭと、前記デコーダでデコードされた前記放送信号の映像データを記録するディスクドライブと、外部機器との入出力を行う入出力Ｉ／Ｆと、商用電源からのメイン電源を前記チューナ、前記デコーダ、前記入出力Ｉ／Ｆに供給する電源供給部と、前記商用電源によって充電される補助バッテリと、停電時に、前記デコーダでデコードされた前記放送信号の映像データを記録する不揮発性メモリと、を備えた録画装置の録画方法であって、前記商用電源の停電を検出するステップと、前記停電検出時に、前記ディスクドライブ、及び前記入出力Ｉ／Ｆへの電源供給を停止するとともに、前記不揮発性メモリ、前記チューナ、及び前記デコーダへの電源供給を前記補助バッテリからの補助電源に切り替えるステップと、を備えたものである。
【発明の効果】
【００１０】
本発明によれば、停電時であっても、高画質で録画することができる録画装置、及び録画方法を提供することができる。
【図面の簡単な説明】
【００１１】
【図１】実施の形態１にかかる録画装置の構成を示す図である。
【図２】録画方法の全体処理を示すフローチャートである。
【図３】録画方法の停電時のフローを示すフローチャートである。
【図４】停電時の処理の詳細を示すフローチャートである。
【図５】停電から復旧する処理を示すフローチャートである。
【図６】実施の形態２にかかる録画装置の構成を示す図である。
【発明を実施するための形態】
【００１２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１３】
本実施の形態にかかる録画装置の構成について説明する。図１において、録画装置１は、ＭＰＥＧ（Ｍｏｔｉｏｎ  Ｐｉｃｔｕｒｅ  Ｅｘｐｅｒｔｓ  Ｇｒｏｕｐ）デコーダＬＳＩ（Ｌａｒｇｅ  Ｓｃａｌｅ  Ｉｎｔｅｇｒａｔｉｏｎ）２、ＨＤＤ（Ｈａｒｄ  Ｄｉｓｋ  Ｄｒｉｖｅ）３、ＳＤＲＡＭ（Ｓｙｎｃｒｏｎｕｓ  Ｄｙｎａｍｉｃ  Ｒａｎｄｏｍ  Ａｃｃｅｓｓ  Ｍｅｍｏｒｙ）４、録画監視部５、フラッシュメモリ６、チューナ７、ＡＶ（Ａｕｄｉｏ  Ｖｉｓｕａｌ）入出力部８、外部ペリフェラル入出力部９、電源供給部１０、補助バッテリ部１１、切換部１２、メイン電源１３、補助電源１４、装置内メイン電源１５、装置内補助電源１６などを備えている。
【００１４】
録画装置１は、ＨＤＤ３に録画番組を記録するＨＤＤレコーダである。録画装置１は、番組の録画、及び再生を行うことができる。なお、ＨＤＤ３の代わりに、Ｂｌｕ−ＲａｙレコーダやＤＶＤ（Ｄｉｇｉｔａｌ  Ｖｅｒｓａｉｔｌｅ  Ｄｉｓｋ）レコーダなどの他のレコーダを用いてもよい。すなわち、録画装置１は、メインレコーダとしてディスクレコーダを備えている。
【００１５】
ＭＰＥＧデコーダＬＳＩ２は、録画装置１全体の動作を制御するものである。ＭＰＥＧデコーダＬＳＩ２は、チューナ７により受信したデジタル放送信号を復号化して、ＡＶデータに変換するデコーダである。ＡＶデータは録画番組の映像データと音声データを含んでいる。ＭＰＥＧデコーダＬＳＩ２は録画／再生用のＡＶデータをＨＤＤ３やフラッシュメモリ６に入出力する。チューナ７は、例えば、フルセグメント（１２セグ）の放送信号を受信する。そして、ＭＰＥＧデコーダＬＳＩ２は、フルセグメントの放送信号をＭＰＥＧ−２／Ｈ．２６４方式でデコードする。
【００１６】
さらに、ＭＰＥＧデコーダＬＳＩ２は、外部ペリフェラル入出力部９やＡＶ入出力部８とのデータの受け渡しを行う。ＭＰＥＧデコーダＬＳＩ２は、制御信号１７をチューナ７、ＡＶ入出力部８、外部ペリフェラル入出力部９に入出力する。ＭＰＥＧデコーダＬＳＩ２は、制御信号１８をＨＤＤ３、ＳＤＲＡＭ４、録画監視部５、フラッシュメモリ６に制御信号１８に入出力する。制御信号１７、１８は、録画装置１全体の動作を制御するための制御信号である。
【００１７】
ＨＤＤ３は、録画／再生用のＡＶデータを書き込んだり読み込んだりするための記録媒体である。ＨＤＤ３は、停電以外の通常状態の時に動作する。ＳＤＲＡＭ４は、ＭＰＥＧデコーダＬＳＩ２が各種処理を行うためのメモリである。ＳＤＲＡＭ４は、例えば、ＭＰＥＧデコーダＬＳＩにおけるデコード処理に必要な設定やデータを記憶する。例えば、ＳＤＲＡＭ４は、ＭＰＥＧデコーダＬＳＩ２がデコードするフレームのデータを記憶する。そして、ＳＤＲＡＭ４は、ＨＤＤ３やフラッシュメモリ６へのフレームデータの書き込みが終了すると、フレームデータを破棄していく。さらに、ＭＰＥＧデコーダＬＳＩ２は、随時、新しいフレームのデータを記憶していく。ＭＰＥＧデコーダＬＳＩ２がデコードする際に、ＳＤＲＡＭ４は映像データ等のデータを一時的に記憶するＤＲＡＭである。
【００１８】
録画監視部５は、予約録画の起動制御と通常の録画か停電中の録画かを区別し、録画状態を監視する。さらに録画監視部５は、現在録画が行われているか否かを監視する。例えば、ユーザから番組録画の入力を受け付けると、録画監視部５は、録画番組の開始時間、終了時間、チャンネル（局番）などの録画情報を記録する。そして、録画監視部５は、録画情報を参照して、録画を行う。
【００１９】
フラッシュメモリ６は、停電中のＡＶデータを録画する記録媒体である。すなわち、フラッシュメモリ６は停電中に動作して、ＡＶデータ等を記憶する。チューナ７は、デジタル放送信号を受信する。そして、チューナ７は、受信したデジタル放送信号をＭＰＥＧデコーダＬＳＩ２に出力する。チューナ７は、例えば、地上波デジタル放送、ＢＳデジタル放送、ＣＡＴＶ放送、ＣＳ放送の少なくとも一部の放送信号を受信する。
【００２０】
ＡＶ入出力部８は、外部機器へ画像や音声のＡＶデータを入出力するインタフェース（Ｉ／Ｆ）である。例えば、ＡＶ入出力部８は、図示しないモニタやスピーカなどに接続されている。そして、ＡＶ入出力部８は、録画したＡＶデータをモニタ等に出力する。ＡＶ入出力部８は、ＨＤＭＩ（登録商標）端子、Ｄ４端子、及びコンポジット端子等の少なくとも一つを備えている。ＡＶ入出力部８はモニタやスピーカ等のＡＶ機器とのインターフェースとなる。
【００２１】
外部ペリフェラル入出力部９は、外部機器と各種制御データを入出力するインタフェース（Ｉ／Ｆ）である。外部ペリフェラル入出力部９は、ＵＳＢ端子、ＬＡＮ端子、及び無線ＬＡＮ端子等の少なくとも一つを備えている。外部ペリフェラル入出力部９は、メモリやパソコンなどの外部機器とのインターフェースとなる。
【００２２】
電源供給部１０は、録画装置１全体へ電源を供給する電源装置である。電源供給部１０には、図示しない商用電源が入力されている。そして、電源供給部１０は、商用電源を所定の電圧に変換して、メイン電源１３を生成する。すなわち、メイン電源１３は、商用電源に基づく電源である。電源供給部１０は、メイン電源１３を切換部１２に供給する。
【００２３】
補助バッテリ部１１は、停電時に電源供給部１０に代わって電源を供給する二次電池である。補助バッテリ部１１は、補助電源１４を切換部１２に出力する。さらに、補助バッテリ部１１は、メイン電源１３によって充電される。すなわち、非停電時には、メイン電源１３に供給された商用電源によって、補助バッテリ部１１が充電される。
【００２４】
切換部１２は、録画装置１内に供給する電源をメイン電源１３と補助電源１４とを切り替える。ここで、電源供給部１０がメイン電源１３に基づいて出力する電源を装置内メイン電源１５とする。また、電源供給部１０が、補助電源１４に基づいて出力する電源を装置内補助電源１６とする。例えば、構成ブロックごとに電源遮断用のスイッチ（不図示）が設けられている。そして切換部１２が電源遮断用のスイッチをＯＮ／ＯＦＦすることで、電源供給を切り替えることができる。例えば、停電時には、電源遮断用のスイッチをＯＮすることで、ＨＤＤ３、ＡＶ入出力部８、外部ペリフェラル入出力部９への電源供給が停止される。
【００２５】
さらに、電源供給部１０は、停電検出部１２ａを備えている。停電検出部１２ａは、商用電源の停電を検出する。例えば、停電検出部１２ａは、商用電源の電圧を測定している。停電検出部１２ａは商用電源の供給が停止しているか否かを判定して、停電していることを検出する。停電検出部１２ａは、停電を検出した場合、停電したことを示す検出信号を出力する。停電検出部１２ａによって停電が検出されると、録画装置１が停電録画モードとなる。また、停電検出部１２ａによって停電が検出されない場合、録画装置１が通常録画モードとなる。すなわち、停電検出部１２ａが停電を検出すると、録画装置１が通常録画モードから停電録画モードに切り替わる。
【００２６】
電源供給部１０は、検出信号に基づいて、装置内補助電源１６と装置内メイン電源１５とを切り替えて出力する。すなわち、停電時には、電源供給部１０は、装置内補助電源１６を出力し、非停電時には装置内メイン電源１５を出力する。
【００２７】
装置内メイン電源１５は、録画装置１内のボード（不図示）全体に供給される電源である。なお、ボードには、例えば、ＭＰＥＧデコーダＬＳＩ２、ＨＤＤ３、ＳＤＲＡＭ４、録画監視部５、チューナ７、ＡＶ入出力部８、外部ペリフェラル入出力部９等が搭載されている。装置内メイン電源１５は、フラッシュメモリ６以外に供給される。
【００２８】
装置内補助電源１６は録画装置１の一部にのみ供給される。装置内補助電源１６は、停電時録画機能に必要な回路部のみに給電される。例えば、ボードに実装されたＭＰＥＧデコーダＬＳＩ２、ＳＤＲＡＭ４、録画監視部５、フラッシュメモリ６、チューナ７のみに装置内補助電源１６が供給される。したがって、装置内補助電源１６は、ＨＤＤ３、ＡＶ入出力部８、外部ペリフェラル入出力部９には給電されない。
【００２９】
ＭＰＥＧデコーダＬＳＩ２は、ＨＤＤ３、ＳＤＲＡＭ４、録画監視部５、フラッシュメモリ６、チューナ７毎に制御ブロック２ａ〜２ｇを備えている。制御ブロック２ａは、ＨＤＤ３を制御する。同様に、制御ブロック２ｂ、２ｃ、２ｄ、２ｅ、２ｆ、２ｇはそれぞれ、ＳＤＲＡＭ４、録画監視部５、フラッシュメモリ６、チューナ７を制御する。
【００３０】
さらに、ＭＰＥＧデコーダＬＳＩ２内には、制御ブロック２ａ〜２ｇ毎に、電力遮断スイッチ（不図示）が設けられる。ＭＰＥＧデコーダＬＳＩ２内の電力遮断スイッチがＯＮすることで、制御ブロック２ａ〜２ｇへの電源供給が停止する。例えば、停電時には、外部ペリフェラル入出力部９とＡＶ入出力部８とＨＤＤ３の制御ブロック２ａ、２ｆ、２ｇへの電力供給が遮断される。これにより、ＭＰＥＧデコーダＬＳＩ２内において、各Ｉ／Ｆ制御に関わる電力消費が停止される。このように、制御ブロック２ａ〜２ｇの電力遮断スイッチは独立してＯＮ／ＯＦＦする。
【００３１】
次に録画装置１の動作について説明する。図２は、電源投入から停電発生／停電復旧までの一連の動作を示すフローチャートである。
【００３２】
まず、ユーザによって録画装置１の電源が投入されると(ステップＳ１１)、電源供給部１０よりメイン電源１３が出力される（ステップＳ１２）。そして、切換部１２が装置内メイン電源１５を出力する（ステップＳ１３）。電源供給部１０からの装置内メイン電源１５の供給により、録画装置１の全機能が使用可能状態となる。すなわち、録画装置１が商用電源に基づいて起動する。
【００３３】
録画監視部５は録画予約の有無を確認する（ステップＳ１４）。すなわち、録画監視部５は、録画番組の開始時間、及び終了時間を参照して、番組録画が行われる時間であるか否かを判定する。録画予約が無い場合（ステップＳ１４のＮＯ）、録画装置１が通常起動して、アイドル状態となる。装置内メイン電源１５に基づいて、録画装置１が起動して、番組録画を待機するアイドル状態となる。
【００３４】
録画予約が有った場合（ステップＳ１４のＹＥＳ）、切換部１２で停電の有無を確認する(ステップＳ１５)。停電検出部１２ａが停電を検出した場合、後述するＡのフローに移行する。
【００３５】
停電が無い場合（ステップＳ１５のＮＯ）、ＭＰＥＧデコーダＬＳＩ２はＨＤＤ３に録画を開始する(ステップＳ１６)。すなわち、通常録画モードとなって、録画装置１の全体が、装置内メイン電源１５に基づいて動作する。これにより、ＨＤＤ３が録画番組のＡＶデータを記録する。この時、ＭＰＥＧデコーダＬＳＩ２は、外部ペリフェラル入出力部９やＡＶ入出力部８とのデータの受け渡しを可能とする。すなわち、ＨＤＤ３の記録とともに、モニタや外部機器に対して、ＡＶデータが入出力される。
【００３６】
録画監視部５は、録画中の状態を監視し、録画終了の確認を定期的に行う(ステップＳ１７)。すなわち、録画監視部５は、録画終了時間と現在時間を比較して、録画が終了しているか否かを判定する。録画終了の場合（ステップＳ１７のＹＥＳ）、ＭＰＥＧデコーダＬＳＩ２は、録画を終了する。これにより、録画装置１がアイドル状態となる。録画が継続中の場合（ステップＳ１７のＮＯ）、ステップＳ１５に戻り、停電検出部１２ａが停電の有無を確認する。このように、停電検出部１２ａは停電の有無を定期的に検出する。
【００３７】
次に、録画中に停電が発生した場合の動作概要（図２中のフローＡ）を、図４のフローチャートを使用して説明する。
【００３８】
図２のステップＳ１５で、停電検出部１２ａにより停電が検出された場合、図４のフローＡへ移る。フローＡに移ると、切換部１２は装置内補助電源１６を出力する(ステップＳ２１)。すなわち、停電のため、装置内メイン電源１５の供給が停止され、装置内補助電源１６によって録画装置１が動作する。
【００３９】
装置内補助電源１６が出力されると、録画監視部５は、ＭＰＥＧデコーダＬＳＩ２へ停電発生を通知する（ステップＳ２２）。停電発生が通知されると、ＭＰＥＧデコーダＬＳＩ２は、停電録画モードに切り換わる。ＭＰＥＧデコーダＬＳＩ２は、ＨＤＤ３からフラッシュメモリ６に録画デバイスを切り換える（ステップＳ２３）。これにより、録画番組の記録が継続する。非停電時にはＨＤＤ３に録画されていた録画番組が、停電時には、フラッシュメモリ６に録画される。さらに、停電録画モードでは、ＭＰＥＧデコーダＬＳＩ２は、外部ペリフェラル入出力部９やＡＶ入出力部８とのデータの受け渡しを停止する。
【００４０】
停電録画モードでは、装置内補助電源１６により、録画装置１の停電時録画機能に必要な回路部にのみが動作する。すなわち、チューナ７とＳＤＲＡＭ４と録画監視部５とフラッシュメモリ６とＭＰＥＧデコーダＬＳＩ２部分のみに装置内補助電源１６が供給される。換言すると、ＨＤＤ３、ＡＶ入出力部８、及び外部ペリフェラル入出力部９への電源供給が停止される。よって、停電時には、ＨＤＤ３、ＡＶ入出力部８、及び外部ペリフェラル入出力部９の動作が停止する。すなわち、停電録画モード時では、ＨＤＤ３、ＡＶ入出力部８、及び外部ペリフェラル入出力部９への電源供給が停止される。
【００４１】
録画監視部５では、録画中の状態を監視し、録画終了の確認を定期的に行う(ステップＳ２４)。録画終了時間によって録画終了を確認した場合、（ステップＳ２４のＹＥＳ）、録画を終了する（ステップＳ２５）。これにより、録画装置１がアイドル状態となる。録画が終了していない場合（ステップＳ２４のＮＯ）、録画を継続して、停電検出部１２ａが停電の復旧を確認する（ステップＳ２５）。停電復旧していない場合（ステップＳ２５のＮＯ）、ステップＳ２３に戻り、ＭＰＥＧデコーダＬＳＩ２によるフラッシュメモリ６への録画を継続する。すなわち、停電が継続している場合、フラッシュメモリ６がＡＶデータを記録する。このように、停電録画中に、停電検出部１２ａが定期的に停電が復旧したかを確認する。
【００４２】
停電が復旧した場合（ステップＳ２５のＹＥＳ）。フローＢに移行する。すなわち、図２のステップＳ１６に戻って、ＭＰＥＧデコーダＬＳＩ２が、ＨＤＤ３への録画を行う。このように、停電が復旧すると、録画装置１が通常録画モードに切り換り、ＭＰＥＧデコーダＬＳＩ２がフラッシュメモリ６からＨＤＤ３に録画デバイスを切り換える。これにより、録画装置１が録画を継続する。通常録画モードでは、装置内メイン電源１５が供給されるため、ＨＤＤ３、ＡＶ入出力部８、外部ペリフェラル入出力部９への電源が供給される。このように、録画モードの切り換りについては、録画監視部５で管理されるものとする。
【００４３】
次に、図３のフローチャートの詳細について、図４を用いて説明する。図４は、停電発生時の詳細動作をフローチャートである。
【００４４】
停電検出部１２ａが停電の発生を検出すると、切換部１２は、装置内補助電源１６を出力する(ステップＳ３１)。装置内補助電源１６が出力されると、録画監視部５は、ＭＰＥＧデコーダＬＳＩ２へ停電発生を通知する（ステップＳ３２）。
【００４５】
停電発生通知を受け取ると、ＭＰＥＧデコーダＬＳＩ２は、停電録画モードに切り換える。ＭＰＥＧデコーダＬＳＩ２は、ＨＤＤ３からフラッシュメモリ６に録画デバイスを切り換える（ステップＳ３３）。これにより、高画質の番組録画が継続する。また、ＭＰＥＧデコーダＬＳＩ２は、停電録画モードに切り替わると、ＨＤＤ３、ＡＶ入出力部８、及び外部ペリフェラル入出力部９の各Ｉ／Ｆ制御を停止するとともに、外部ペリフェラル入出力部９とＡＶ入出力部８とＨＤＤ３の制御ブロック２ａ、２ｆ、２ｇへの電力供給を遮断する（ステップＳ３４）。
【００４６】
次に、電力遮断用のスイッチをＯＮすることで、ＨＤＤ３、ＡＶ入出力部８、及び外部ペリフェラル入出力部９の各構成回路への電力供給を停止する（ステップＳ３５）。このように、ＭＰＥＧデコーダＬＳＩ２内における制御ブロック２ａ、２ｆ、２ｇへの電力供給を停止した後、各構成回路の電源供給を停止する。これにより、消費電力を低減することができる。このように、構成回路毎に電力供給ラインを分けて、電力ライン間に設けられた電力遮断用のスイッチを独立して制御する。
【００４７】
その後、録画監視部５では、録画中の状態を監視し、録画終了の確認を定期的に行っている（ステップＳ３６）。録画終了の場合（ステップＳ３６のＹＥＳ）、ＭＰＥＧデコーダＬＳＩ２は録画を終了する。これにより、録画装置１がアイドル状態となる。録画が継続中の場合（ステップＳ３６のＮＯ）、停電検出部１２ａは、停電の復旧を確認する（ステップＳ３７）。停電が継続している場合（ステップＳ３７のＮＯ）は、ステップＳ３３に戻り、ＭＰＥＧデコーダＬＳＩ２はフラッシュメモリ６への録画を継続する。停電が復旧した場合（ステップＳ３７のＹＥＳ）、フローＣに移行する。
【００４８】
次に、フローＣについて、図５を用いて説明する。図５は、ステップＳ３７において、停電が復旧した場合の処理を示すフローチャートである。ステップＳ３７において、停電検出部１２ａが停電の復旧を確認すると（図４のステップＳ３７のＹＥＳ）、切換部１２が、電力供給を補助バッテリ部１１から装置内メイン電源１５に切り換えて、出力する（ステップＳ４１）。
【００４９】
電源が装置内メイン電源１５に切り替わると、電力停止中のＨＤＤ３、ＡＶ入出力部８、外部ペリフェラル入出力部９の各構成回路への電力供給が再開する（ステップＳ４２）。構成回路毎に電力供給ラインを分けて、電力ライン間に設けられた電力遮断用のスイッチを独立して制御する。これにより、ＨＤＤ３、ＡＶ入出力部８、外部ペリフェラル入出力部９への電力が供給される。また、ここで、フラッシュメモリ６への電源供給を停止してもよい。
【００５０】
そして、録画監視部５がＭＰＥＧデコーダＬＳＩ２へ停電復旧を通知する（ステップＳ４３）。これにより、ＭＰＥＧデコーダＬＳＩ２は、通常録画モードに切り換る。そして、ＭＰＥＧデコーダＬＳＩ２内の電源遮断スイッチをＯＦＦするとともに、フラッシュメモリ６からＨＤＤ３に録画デバイスを切り換える（ステップＳ４４）。すなわち、ＭＰＥＧデコーダＬＳＩ２内において、ＨＤＤ３、ＡＶ入出力部８、外部ペリフェラル入出力部９の制御ブロック２ａ、２ｆ、２ｇへの電源供給が再開する。なお、ここでフラッシュメモリ６の制御ブロック２ｄの電源供給を停止してもよい。
【００５１】
さらに、通常録画モードに切り換り代わると、ＭＰＥＧデコーダＬＳＩ２は、ＨＤＤ３／ＡＶ入出力部８／外部ペリフェラル入出力部９の各Ｉ／Ｆ制御を再開する(ステップＳ４５)。すなわち、外部ペリフェラル機器やモニタなどとのデータの受け渡しが可能になる。このように、通常録画モードでは、フラッシュメモリ６以外の全ての構成回路が制御される。この結果、停電発生時も、停電復旧後も、録画が途切れたり、画質が低下したりすること無く録画が継続される。
【００５２】
このように、デジタル放送をＨＤＤ３に録画中において、停電等により電源の供給が断たれた場合、停電検出部１２ａが停電を検出する。停電検出部１２ａが停電を検出すると、予備電源である補助バッテリ部１１から電源の供給を受け、ＭＰＥＧデコーダＬＳＩ２が停電録画モードに切り替わる。すなわち、録画監視部５がＭＰＥＧデコーダＬＳＩ２へ停電発生を通知する。これにより、ＭＰＥＧデコーダＬＳＩ２が、記録デバイスをＨＤＤ３からフラッシュメモリ６に切り替える。したがって、ＨＤＤ３等の記録媒体よりも消費電力の少ないフラッシュメモリ６に、ＨＤＤ３に録画中であった放送番組を継続して録画することができる。
【００５３】
さらに、ＭＰＥＧデコーダＬＳＩ２は、停電録画モードと通常録画モードとで、同じ放送信号を同じデコード方式でデコードしている。すなわち、ＭＰＥＧデコーダＬＳＩ２は、非停電時だけでなく、停電時でもフルセグメント（１２セグ）の放送信号をデコードしている。したがって、停電時であっても画質を落とすことなく、番組を録画することができる。換言すると、停電時も非停電時も同じ画素数の映像データを記録することができる。よって、停電時でも高画質の代替録画を継続することができる。
【００５４】
停電時には、番組録画に不要なＨＤＤ３，ＡＶ入出力部８、外部ペリフェラル入出力部９への電源供給を停止している。すなわち、録画機能のみ最小限必要な回路構成のみを動作させる。こうすることで、消費電力を低減させることができる。よって、補助バッテリ部１１で駆動した場合でも、長時間録画することができる。
【００５５】
また、特許文献２では、代替録画専用に１セグ録画機能を持たせているため、１セグチューナや1セグデコーダの専用回路が必要となる。これに対して、本実施形態にかかる録画装置では、停電時であっても、フルセグメントの放送信号をデコードしている。すなわち、録画装置１では、放送信号が単一のデコード方式のみによってデコードされる。これにより、１セグチューナ及び１セグデコーダが不要となる。すなわち、通常録画用の第１のデコード方式でデコードする第１のデコーダのみを設ければよく、停電時録画用の低画質の第２のデコード方式でデコードする第２のデコーダが不要となる。異なるデコード方式でデコードする２つのデコーダを設ける必要がなくなり、単一のデコーダのみを設ければよい。よって、回路構成を簡素化することができ、低コスト化を図ることができる。
【００５６】
停電発生中における代替録画の画質を低下させること無く、継続した代替録画を行うことが可能になる。すなわち、代替録画機能に１セグ回路構成を使用しないため画質が低下することが無い。代替録画以外に必要としない機能をすべて停止することができるため、消費電力を低減することができ、停電時の録画時間を長くすることができる。
【００５７】
また、代替録画専用の回路構成を低減することができる。代替録画専用の１セグ回路を必要としないため、回路構成が低減できる。
【００５８】
実施の形態２．
実施の形態２にかかる録画装置１について、図６を用いて説明する。なお、実施の形態１と重複する内容については、説明を省略する。図６は、録画装置の構成を示すブロック図である。録画装置１は、デコーダ２２と、ディスクドライブ２３と、ＤＲＡＭ２４と、不揮発性メモリ２６と、チューナ２７と、入出力Ｉ／Ｆ２８と、電源供給部３０と、補助バッテリ３１と、切替部３２と、停電検出部３２ａとを備えている。
【００５９】
例えば、デコーダ２２と、ディスクドライブ２３と、ＤＲＡＭ２４と、不揮発性メモリ２６と、チューナ２７と、入出力Ｉ／Ｆ２８と、電源供給部３０と、補助バッテリ３１と、切替部３２と、停電検出部３２ａは、それぞれ、ＭＰＥＧデコーダＬＳＩ２、ＨＤＤ３、ＳＤＲＡＭ４、フラッシュメモリ６、チューナ７、ＡＶ入出力部８、電源供給部１０、補助バッテリ部１１、切換部１２、停電検出部１２ａに対応する。
【００６０】
チューナ２７は、放送信号を受信する。デコーダ２２は、チューナ２７で受信された放送信号をデコードする。ＤＲＡＭ２４は、デコーダ２２がデコードする際に、データを一時的に記憶する。ディスクドライブ２３は、デコーダ２２でデコードされた放送信号の映像データを記録する。入出力Ｉ／Ｆ２８は外部機器との入出力を行う。電源供給部３０は、商用電源からの電源をチューナ２７、デコーダ２２、入出力Ｉ／Ｆ２８に供給する。補助バッテリ３１は、商用電源によって充電される。停電検出部３２ａは、商用電源の停電を検出する。停電検出部３２ａが停電を検出したときに、不揮発性メモリ２６は、デコーダ２でデコードされた前記放送信号の映像データを記録する。
【００６１】
停電検出部３２ａが停電を検出したときに、切替部３２は、ディスクドライブ２３、及び入出力Ｉ／Ｆ２９への電源供給を遮断するとともに、不揮発性メモリ２６、チューナ２７、及びデコーダ２２への電源供給を補助バッテリ３１に切り替える。これにより、停電時であっても、高画質で録画することができる。さらに、入出力Ｉ／Ｆへの電力供給を停止するため、消費電力を低減することができる。
【００６２】
その他の実施の形態．
本発明の一実施の形態として、停電中のＡＶデータを録画する記録媒体として、フラッシュメモリ６を使用した構成の録画装置が示されているが、代わりにＳＤメモリカードやＵＳＢメモリなどの記録媒体を使用した構成の録画装置とする事もできる。すなわち、停電録画モードには、不揮発性メモリを用いればよい。
【００６３】
また、代替録画の可能時間が搭載するフラッシュメモリやＳＤメモリカードやＵＳＢメモリの記録容量によって決まってくる。従って、メモリを増設可能な構成とする事で代替録画の可能時間を増加させる事もできる。なお、メモリを増設した場合、消費電力の増加を抑えるため、切換部１２が増設メモリ毎に電力供給を制御するようにしてもよい。例えば、増設メモリ毎に供給電力の切り換えができる構成とすることで、代替録画を行っているメモリ部分のみに電力供給することができる。稼動していないメモリ部分への電力供給を行わないことで、消費電力の増加を抑える事ができる。
【００６４】
さらに、録画装置１が低画質の録画を行うために、第２のデコーダを備えていてもよい。そして、メモリ容量やバッテリ容量に応じて、第１のデコード方式でデコードするＭＰＥＧデコーダＬＳＩ２と、第２のデコード方式でデコードする第２のデコーダを切り替えるようにしてもよい。例えば、録画監視部５が、停電時に、番組録画の残り時間から、録画に必要なメモリ容量やバッテリ容量を予測する。そして、停電検出時の補助バッテリ部１１の空き容量と、録画に必要なバッテリ容量と比較する。また、フラッシュメモリ６の空き容量と録画に必要なメモリ容量を比較する。
【００６５】
録画番組の終了時間まで録画することができる空き容量がある場合には、引き続き、高画質のＭＰＥＧデコーダＬＳＩ２でデコードする。一方、録画番組の終了時間まで録画することができる空き容量がない場合には、第２のデコーダが低画質の第２のデコード方式でデコードする。第２のデコーダは、第２のデコード方式、例えば、１セグ方式でデコードした映像信号をフラッシュメモリ６に録画する。こうすることで、ＳＤＲＡＭ４、フラッシュメモリ６への書き込み頻度を低減することができる。よって、より消費電力を減らすことができる。より利便性を向上することができる。
【００６６】
実施の形態１、又は２にかかる録画装置における処理のうちの一部又は全部は、コンピュータプログラムによって実行されても良い。上述したプログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体(例えばフレキシブルディスク、磁気テープ、ハードディスクドライブ)、光磁気記録媒体(例えば光磁気ディスク)、ＣＤ−ＲＯＭ(Read Only Memory）、ＣＤ−Ｒ、ＣＤ−Ｒ／Ｗ、半導体メモリ(例えば、マスクＲＯＭ、ＰＲＯＭ(Programmable ROM）、ＥＰＲＯＭ(Erasable PROM）、フラッシュＲＯＭ、ＲＡＭ(Random Access Memory））を含む。また、プログラムは、様々なタイプの一時的なコンピュータ可読媒体(transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６７】
以上、実施の形態を参照して本願発明を説明したが、本願発明は上記によって限定されるものではない。本願発明の構成や詳細には、発明のスコープ内で当業者が理解し得る様々な変更をすることができる。
【符号の説明】
【００６８】
１  録画装置
２  ＭＰＥＧデコーダＬＳＩ
３  ＨＤＤ
４  ＳＤＲＡＭ
５  録画監視部
６  フラッシュメモリ
７  チューナ
８  ＡＶ入出力部
９  外部ペリフェラル入出力部
１０  電源供給部
１１  補助バッテリ
１２  切換部
１３  メイン電源
１４  補助電源
１５  装置内メイン電源
１６  装置内補助電源
１７  制御信号
１８  制御信号
【図１】
2015076730.tif 000003
【図２】
2015076730.tif 000004
【図３】
2015076730.tif 000005
【図４】
2015076730.tif 000006
【図５】
2015076730.tif 000007
【図６】
2015076730.tif 000008